(57)【要約】【課題】勾配を有する屋根の全体の雪を確実に除去することが可能な屋根の除雪システムを提供する。【解決手段】勾配を有する屋根２に積もった雪を除去する屋根の除雪システム１は、表面が滑らかで防水性を有するとともに屋根２を覆うように配置されるシート３、４と、シート３、４の上方から融雪液を噴射する融雪液噴射手段５とを備えている。この除雪システム１では、表面が滑らかで防水性を有するシート３、４で屋根２を覆い、シート３、４の上方から融雪液を噴射するため、融雪液が飛散する領域で生じる雪解け水を利用して、融雪液が飛散しない領域の雪や、融雪液が飛散する領域で融けきらない雪をシート３、４上で滑らせて屋根２の上から落とすことが可能になる。【選択図】図１
2016084646.tif 000002
【特許請求の範囲】
【請求項１】
勾配を有する屋根に積もった雪を除去する屋根の除雪システムにおいて、
表面が滑らかで防水性を有するとともに前記屋根を覆うように配置されるシートと、前記シートの上方から融雪液を噴射する融雪液噴射手段とを備えることを特徴とする屋根の除雪システム。
【請求項２】
前記屋根と前記シートとの間に配置され、前記屋根を覆う前記シートの勾配を前記屋根の勾配よりも急勾配にする傾斜部材を備えることを特徴とする請求項１記載の屋根の除雪システム。
【請求項３】
勾配を有する屋根に積もった雪を除去する屋根の除雪方法において、
表面が滑らかで防水性を有するシートで前記屋根を覆い、前記シートの上方から融雪液を噴射することを特徴とする屋根の除雪方法。
【発明の詳細な説明】
【技術分野】
【０００１】
本発明は、勾配を有する屋根に積もった雪を除去する屋根の除雪システムおよび屋根の除雪方法に関する。
【背景技術】
【０００２】
従来、屋根の融雪に用いられる融雪装置が知られている（たとえば、特許文献１参照）。特許文献１に記載の融雪装置は、屋根の上に設置される複数のノズルを備えており、複数のノズルから、加熱された融雪水が噴射される。
【先行技術文献】
【特許文献】
【０００３】
【特許文献１】特開２００９−２２８３１６号公報
【発明の概要】
【発明が解決しようとする課題】
【０００４】
特許文献１に記載の融雪装置の場合、ノズルから噴射される融雪水が飛散する領域の雪は融けやすいが、融雪水が届かない領域の雪は融けにくい。そのため、この融雪装置の場合、融雪水が届かない領域の雪が屋根の上に残ってしまうおそれがある。また、融雪水が飛散する領域でも、融けきらない雪が屋根の上に残ってしまうおそれがある。すなわち、この融雪装置の場合、屋根の全体の雪を確実に除去することは困難である。
【０００５】
そこで、本発明の課題は、勾配を有する屋根の全体の雪を確実に除去することが可能な屋根の除雪システムおよび屋根の除雪方法を提供することにある。
【課題を解決するための手段】
【０００６】
上記の課題を解決するため、本発明の屋根の除雪システムは、勾配を有する屋根に積もった雪を除去する屋根の除雪システムにおいて、表面が滑らかで防水性を有するとともに屋根を覆うように配置されるシートと、シートの上方から融雪液を噴射する融雪液噴射手段とを備えることを特徴とする。
【０００７】
また、上記の課題を解決するため、本発明の屋根の除雪方法は、勾配を有する屋根に積もった雪を除去する屋根の除雪方法において、表面が滑らかで防水性を有するシートで屋根を覆い、シートの上方から融雪液を噴射することを特徴とする。
【０００８】
本発明では、表面が滑らかで防水性を有するシートで屋根を覆い、シートの上方から融雪液を噴射する。そのため、本発明では、融雪液が飛散する領域で生じる雪解け水を利用して、融雪液が飛散しない領域の雪や、融雪液が飛散する領域で融けきらない雪をシート上で滑らせて屋根の上から落とすことが可能になる。したがって、本発明では、勾配を有する屋根の全体の雪を確実に除去することが可能になる。
【０００９】
本発明において、屋根の除雪システムは、屋根とシートとの間に配置され、屋根を覆うシートの勾配を屋根の勾配よりも急勾配にする傾斜部材を備えることが好ましい。このように構成すると、シートに覆われる屋根の勾配が緩やかであっても、シート上の雪が滑りやすくなる。したがって、シートに覆われる屋根の勾配が緩やかであっても、屋根の全体の除雪を確実に行うことが可能になる。
【発明の効果】
【００１０】
以上のように、本発明では、勾配を有する屋根の全体の雪を確実に除去することが可能になる。
【図面の簡単な説明】
【００１１】
【図１】本発明の実施の形態にかかる屋根の除雪システムの構成を説明するための概略図である。
【図２】（Ａ）は図１に示す屋根の除雪システムの構成を側面から説明するための図であり、（Ｂ）は本発明の他の実施の形態にかかる屋根の除雪システムの構成を側面から説明するための図である。
【発明を実施するための形態】
【００１２】
以下、図面を参照しながら、本発明の実施の形態を説明する。本形態の屋根の除雪システム１は、勾配を有する屋根（すなわち、棟２ａを有する屋根）２に積もった雪を除去するためのシステムである。この除雪システム１は、屋根２を覆うように配置される２枚のシート３、４と、シート３、４の上方から融雪液を噴射する融雪液噴射手段５とを備えている。屋根２は、たとえば、瓦屋根であるが、トタン屋根等の他の屋根であっても良い。また、本形態の融雪液は、温水であるが、融雪液は、温水以外の雪を融かす液体であっても良い。
【００１３】
シート３、４は、たとえば、軟質の樹脂で形成されている。また、シート３、４は、防水性を有するとともに、シート３、４の表面は、水が滑るように滑らかになっている。すなわち、シート３、４は、滑水性を備えている。シート３、４は、屋根２の全体を覆うように配置されている。図２（Ａ）に示すように、シート３、４の上端側部分（すなわち、棟２ａ側の部分）は互いに重なっている。また、シート３、４の上端側の互いに重なった部分には、シート３、４の上端側を固定するための金具７が載っている。金具７は、棟２ａのほぼ全域に亘ってシート３、４の上端側部分に載っており、シート３、４の上端側を押さえる錘として機能している。また、シート３、４の、上端側部分を除く、下端側部分および横端側部分は、固定用の部材（図示省略）によって、屋根２に固定されている。なお、図１では、金具７の図示を省略している。
【００１４】
融雪液噴射手段５は、温水スプリンクラーであり、温水を噴射する複数のノズル９と、ノズル９に温水を供給する給湯器１０と、ノズル９と給湯器１０とを接続する配管１１とを備えている。配管１１は、たとえば、金具７の上端側に固定されている。ノズル９は、上下方向を回動の軸方向として回動可能となっている。また、複数のノズル９は、複数のノズル９から噴射される温水が、屋根２のほぼ全域に飛散するように配置されている。給湯器１０は、ポンプ（図示省略）を備えており、給湯器１０の操作ボタン（図示省略）が操作されると、配管１１を介して複数のノズル９に温水が供給されて、複数のノズル９から温水が噴射される。本形態では、屋根２を覆うシート３、４の上に雪が積もると、シート３、４の上から雪を除去するために（すなわち、屋根２の上から雪を除去するために）、給湯器１０の操作ボタンが操作されて、シート３、４の上方から温水が噴射される。
【００１５】
以上説明したように、本形態では、滑水性を有するシート３、４で屋根２を覆い、シート３、４の上に雪が積もると、シート３、４の上方から温水を噴射するため、温水が飛散する領域で生じた雪解け水を利用して、温水が飛散しない領域の雪や、温水が飛散する領域で融けきらない雪をシート３、４上で滑らせて屋根２の上から落とすことが可能になる。したがって、本形態では、勾配を有する屋根２の全体の雪を確実に除去することが可能になる。
【００１６】
なお、上述した形態では、シート３、４は、屋根２の上に直接、載せられているが、図２（Ｂ）に示すように、シート３、４は、屋根２を覆うシート３、４の勾配を屋根２の勾配よりも急勾配にするための傾斜部材１５を介して屋根２の上に載せられても良い。すなわち、除雪システム１は、屋根２とシート３、４との間に配置され、屋根２を覆うシート３、４の勾配を屋根２の勾配よりも急勾配にする傾斜部材１５を備えていても良い。
【００１７】
傾斜部材１５は、たとえば、防水加工が施された木材によって形成されており、棟２ａが形成される方向（図２（Ｂ）の紙面垂直方向）において、所定の間隔をあけた状態で複数箇所に設置されている。この場合には、図２（Ｂ）に示すように、シート３、４に覆われる屋根２の勾配が緩やかであっても、シート３、４上の雪が滑りやすくなるため、屋根２の勾配が緩やかであっても、屋根２の全体の除雪を行うことが可能になる。なお、図２（Ｂ）に示す例では、傾斜部材１５の上端側は、棟２ａのほぼ全域に亘って配置される金具１６に固定されている。また、図２（Ｂ）に示す例では、シート３、４の上端側部分は、折り曲げられた状態で金具１６に固定されている。
【００１８】
また、上述した形態では、複数のノズル９は、複数のノズル９から噴射される温水が、屋根２のほぼ全域に飛散するように配置されているが、複数のノズル９から噴射される温水が屋根２の一部に飛散するように複数のノズル９が配置されても良い。また、上述した形態では、屋根２は、２枚のシート３、４に覆われているが、屋根２は、１枚のシートで覆われても良いし、３枚以上のシートで覆われても良い。
【符号の説明】
【００１９】
１  屋根の除雪システム
２  屋根
３、４  シート
５  融雪液噴射手段
１５  傾斜部材
【図１】
2016084646.tif 000003
【図２】
2016084646.tif 000004